(57)【要約】【課題】本発明は、インキのみならず紙の添加剤である炭酸カルシウム等の付着物質を同時に除去できるとともに、毒性が低く、環境汚染性を抑制することを課題とする。【解決手段】脂肪族カルボン酸と炭酸エステルを含有してなることを特徴とする印刷用洗浄剤。【選択図】　　なし【特許請求の範囲】
【請求項１】
脂肪族カルボン酸と炭酸エステルを含有してなることを特徴とする印刷用洗浄剤。
【請求項２】
前記脂肪族カルボン酸、炭酸エステルの他、アルコール系有機溶剤とグリコール系有機溶剤を含有してなることを特徴とする請求項１記載の印刷用洗浄剤。
【請求項３】
脂肪族カルボン酸０．５〜１０重量％と炭酸エステル５〜４０重量％を含有してなることを特徴とする請求項１若しくは請求項２いずれか１項記載の印刷用洗浄剤。
【請求項４】
前記脂肪族カルボン酸は、ギ酸、酢酸、メルカプト酸、ピルピン酸、グリコール酸、シュウ酸、アジピン酸、プロピオン酸、酪酸、イソ酪酸、吉草酸、イソ吉草酸、クロトン酸、乳酸、クロロ酢酸、ジクロロ酢酸、トリクロロ酢酸、トリメチル酢酸、メトキシ酢酸、クエン酸、コハク酸のうち少なくとも一つであることを特徴とする請求項１乃至請求項３いずれか１項記載の印刷用洗浄剤。
【請求項５】
炭酸エステルは、炭酸ジメチル、炭酸ジエチルの少なくともいずれか一つであることを特徴とする請求項１若しくは請求項２いずれか１項記載の印刷用洗浄剤。
【発明の詳細な説明】
【０００１】
【発明の属する技術分野】
本発明は印刷用洗浄剤に関し、特に印刷用ゴムブランケット及び印刷用ゴムロールにおいて使用される印刷用洗浄剤に関する。
【０００２】
【従来の技術】
周知の如く、印刷機では、停止時に洗浄剤によりインキ汚れを洗浄、除去する必要がある。しかし、印刷用ブランケットや印刷用ゴムロールにおいては、紙粉、紙の添加剤である炭酸カルシウム等の付着物質が問題となっており、洗浄剤はインキのみならずこれらの付着物質を同時に除去できる必要がある。
【０００３】
ところで、従来の洗浄剤としては、ガソリン、ミネラルスピリット、灯油等の炭化水素油、ジクロルメタン、トリクロロエチレン等の塩素系溶剤が使用されていた。
【０００４】
【発明が解決しようとする課題】
しかし、灯油等の炭化水素油は、紙粉汚れに対する除去効果が悪いという問題点があった。また、塩素系溶剤は洗浄効果を有するものの、近年、環境汚染の問題があり、洗浄溶剤として使用することが問題になってきた。
【０００５】
本発明は上記事情を考慮してなされたもので、脂肪族カルボン酸と炭酸エステルを含有した構成とすることにより、インキのみならず紙の添加剤である炭酸カルシウム等の付着物質を同時に除去できるとともに、毒性が低く、環境汚染性が極めて低い印刷用洗浄剤を提供することを目的とする。
【０００６】
【課題を解決するための手段】
本発明に係る印刷用洗浄剤は、脂肪族カルボン酸と炭酸エステルを含有してなることを特徴とする。
また、本発明に係る印刷用洗浄剤は、前記脂肪族カルボン酸、炭酸エステルの他、アルコール系有機溶剤とグリコール系有機溶剤を含有してなることを特徴とする。
【０００７】
更に、本発明に係る印刷用洗浄剤は、脂肪族カルボン酸０．５〜１０重量％と炭酸エステル５〜４０重量％を含有してなることを特徴とする。
【０００８】
【発明の実施の形態】
以下、本発明の印刷用洗浄剤について更に詳しく説明する。
本発明は、脂肪族カルボン酸と炭酸エステルを含有することを特徴とするが、好ましくは両者の配合割合を脂肪族カルボン酸０．５〜１０重量％、炭酸エステル５〜４０重量％とし、更に好ましくは脂肪族カルボン酸０．５〜１重量％、炭酸エステル１０〜３０重量％とする。
【０００９】
脂肪族カルボン酸の配合割合を上記のように規定したのは、脂肪族カルボン酸が０．５重量％未満ではインキや付着物質特に紙の添加剤である炭酸カルシウムを十分に洗浄できず、１０重量％を超えると酸が多すぎて乾燥が悪くなり、かつ洗浄性も悪くなるからである。
【００１０】
また、炭酸エステルが５重量％未満ではインキや付着物質特に紙粉を十分に洗浄できず、４０重量％を越えると印刷用ゴムブランケット、ゴムロールの膨潤、乾燥後の収縮が大きくなってしまうからである。
【００１１】
本発明において、上記脂肪族カルボン酸としては、ギ酸、酢酸、メルカプト酸、ピルピン酸、グリコール酸、シュウ酸、アジピン酸、プロピオン酸、酪酸、イソ酪酸、吉草酸、イソ吉草酸、クロトン酸、乳酸、クロロ酢酸、ジクロロ酢酸、トリクロロ酢酸、トリメチル酢酸、メトキシ酢酸、クエン酸、コハク酸のうち任意の１つ、あるいは２つ以上の組み合わせが挙げられる。このうち、ピルビン酸、グリコール酸、及び両者の組み合わせは臭気が少ない点で好ましい。また、ピルビン酸を炭酸エステルと組み合わせると、特に紙の添加剤である炭酸カルシウムの洗浄性が優れているため、好ましい。
【００１２】
本発明において、上記炭酸エステルとしては、炭酸ジメチル、炭酸ジエチルのいずれか、あるいは両者の組み合わせが考えられる。このうち、炭酸ジメチルが好ましい。この理由は、低沸点（沸点：９０℃）であり乾燥性が良好で、除去作業が容易になるからである。通常、低沸点の有機溶剤は、引火点もそれなりに低い物となってしまうが、炭酸ジメチルは引火点が高めである（引火点：１７℃）。また、インキに対する溶解性も充分である。
【００１３】
本発明によれば、印刷用洗浄剤に脂肪族カルボン酸と炭酸エステルを含有しているので、インキに加え、紙粉、紙の添加剤である炭酸カルシウム等の付着物質を同時に洗浄でき、かつ、毒性が低く、環境汚染性を抑制できるという利点を有する。なお、脂肪族カルボン酸の代替えとして、脂肪族炭化水素例えばイソオクタンと炭酸エステルとを組み合わせることが考えられるが、紙粉、紙の添加剤である炭酸カルシウム等の付着に関する洗浄性が悪い。また、イソオクタンは、各都道府県条例による使用禁止あるいは削減対象物質として挙げられているので，環境汚染の問題が解決できない。
【００１４】
本発明において、前記脂肪族カルボン酸、炭酸エステルの他、アルコール系有機溶剤とグリコール系有機溶剤を含有することができる。ここで、アルコール系有機溶剤としては、例えばメタノール、エタノール、イソプロピルアルコール、イソブチルアルコール、ｎ−ブチルアルコール、ｎ−プロピルアルコール、ｓｅｃ−ブチルアルコール、ｔｅｒｔ−ブチルアルコールが挙げられる。
【００１５】
前記グリコール系有機溶剤としては、例えば１，３ジオキソラン、テトラヒドロフラン、エチレングリコールモノエチルエーテル、エチレングリコールモノブチルエーテル、メチルメトキシブタノール、エチレングリコールモノイソプロピルエーテル、エチレングリコールモノイソブチルエーテル、エチレングリコールモノｔ−ブチルエーテル、プロピレングリコールモノメチルエーテル、プロピレングリコールモノプロピルエーテル、エチレングリコールモノプロピルエーテル、ジエチレングリコールモノメチルエーテル、ジエチレングリコールモノエチルエーテル、ジエチレングリコールモノブチルエーテル、ジプロピレングリコールモノメチルエーテルが挙げられる。
【００１６】
【実施例】
以下、本発明の各実施例及び比較例に係る印刷用洗浄剤について説明する。
（実施例１）
本実施例１では、下記表１に示すように、炭酸ジメチル３０重量％、ピルビン酸２重量％、プロピレングリコールモノメチルエーテル３０重量％及びｎ−プロピルアルコール３８重量％を配合して印刷用洗浄剤を製造した。
【００１７】
事実、実機印刷を行い、印刷後にゴムブランケット表面に付着したインキ及び紙粉、その他布に含ませた実施例１の印刷用洗浄剤にて拭き取り、その効果（インキ洗浄性、紙粉除去、炭酸カルシウム除去、都道府県条例等による使用可否）を調べたところ、下記表２に結果が得られた。表２より、実施例１の印刷用洗浄剤によれば、いずれの試験項目についても良好な結果が得られることが確認できた。
【００１８】
【表１】
2004010725.tif 000002
【００１９】
【表２】
2004010725.tif 000003
【００２０】
（比較例１）
比較例１では、上記表１に示すような配合割合、即ちプロピレングリコールモノメチルエーテル４０重量％、及び１，１’−ジクロロ−１−フルオロエタン６０重量％を配合して印刷用洗浄剤を製造した。
【００２１】
比較例１による印刷用洗浄剤の場合も、実施例１と同様、インキ洗浄性、紙粉除去、炭酸カルシウム除去、都道府県条例等による使用可否を調べたところ、上記表２に示す結果が得られた。表２より、比較例１の場合、インキ洗浄性に優れるが、紙粉除去、炭酸カルシウム除去、都道府県条例等による使用可否のいずれの項目についても良好な結果が得られなかった。
【００２２】
（比較例２）
比較例２では、上記表１のような配合割合、ピルビン酸２重量％、プロピレングリコールモノメチルエーテル３０重量％、ｎ−プロピルアルコール３８重量％、及びイソオクタン３０重量％を配合して印刷用洗浄剤を製造した。
【００２３】
比較例２による印刷用洗浄剤の場合も、実施例１と同様、インキ洗浄性、紙粉除去、炭酸カルシウム除去、都道府県条例等による使用可否を調べたところ、上記表２に示す結果が得られた。表２より、比較例２の場合も、インキ洗浄性に優れるが、紙粉除去、炭酸カルシウム除去、都道府県条例等による使用可否のいずれの項目についても良好な結果が得られなかった。
【００２４】
（実施例２〜６）
実施例２〜６では、実施例１で用いた炭酸ジメチル、ピルビン酸、プロピレングリコールモノメチルエーテル及びｎ−プロピルアルコールの配合割合を下記表３に示すように夫々変えて各種の印刷用洗浄剤を製造した。
【００２５】
実施例２〜６による印刷用洗浄剤について、夫々インキ洗浄性、紙粉除去、炭酸カルシウム除去、乾燥性、ゴムの膨潤について調べたところ、下記表５に結果が得られた。表５より、何れの実施例２〜６の場合も良好な結果が得られ、特に実施例１については最良の結果が得られた。
【００２６】
（比較例３〜８）
比較例３〜８では、炭酸ジメチル、ピルビン酸、プロピレングリコールモノメチルエーテル及びｎ−プロピルアルコールの配合割合を下記表４に示すように、変えて印刷用洗浄剤を製造した。
【００２７】
比較例３〜８による印刷用洗浄剤の場合についても、インキ洗浄性、紙粉除去、炭酸カルシウム除去、乾燥性、ゴムの膨潤について調べたところ、下記表６に結果が得られた。表６より、いずれの比較例３〜８の場合も、インキ洗浄性、紙粉除去、炭酸カルシウム除去、乾燥性、ゴムの膨潤の全てを満足するものはなく、紙粉除去、炭酸カルシウム除去、乾燥性、ゴムの膨潤の少なくともいずれかで満足な結果が得られなかった。
【００２８】
【表３】
2004010725.tif 000004
【００２９】
【表４】
2004010725.tif 000005
【００３０】
【表５】
2004010725.tif 000006
【００３１】
【表６】
2004010725.tif 000007
【００３２】
以上より、実施例のように炭酸ジメチル、ピルビン酸、プロピレングリコールモノメチルエーテル及びｎ−プロピルアルコールを含む印刷用洗浄剤、特に炭酸ジメチル５〜４０重量％、ピルビン酸０．５〜１０重量％である印刷用洗浄剤は優れた特性を有することが確認できた。
【００３３】
【発明の効果】
以上詳述した如く本発明によれば、脂肪族カルボン酸と炭酸エステルを含有した構成とすることにより、インキのみならず紙の添加剤である炭酸カルシウム等の付着物質を同時に除去できるとともに、毒性が低く、環境汚染性が極めて低い印刷用洗浄剤を提供できる。